(57)【要約】【課題】箱型土嚢を積み重ねた場合に生じうる不具合を解消する技術を提供する。【解決手段】箱型土嚢は、４枚の矩形の側壁１１０を備えており、平面視正方形である。側壁１１０は、多数の縦棒１１１と多数の横棒１１２とを組合せて作られた金網である。各側壁１１０の縁、例えば上下の縁、或いは左右の縁は、特定縁とされている。特定縁では、上下の縁であれば縦棒１１１の上下の端を挟んで横棒１１２が取付けられており、左右の縁であれば横棒１１２の左右の端を挟んで縦棒１１１が取付けられている。【選択図】図３
2015036480.tif 000002
【特許請求の範囲】
【請求項１】
上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、
を備えている、その上下が開口された、前記側壁に囲まれた空間に内容物を入れて用いられる箱型土嚢であって、
前記側壁のうちの少なくとも一つの側壁の４つの縁のうちの少なくとも一つの縁である特定縁における縦棒又は横棒が、それが取付けられている横棒又は縦棒の両側に取付けられている、
箱型土嚢。
【請求項２】
前記特定縁は、すべての前記側壁の少なくとも一つの縁である、
請求項１記載の箱型土嚢。
【請求項３】
前記特定縁は、前記側壁の上下の縁である、
請求項２記載の箱型土嚢。
【請求項４】
前記特定縁は、前記側壁の左右の縁である、
請求項２又は３記載の箱型土嚢。
【請求項５】
平面視したときの形状と大きさが同一の、請求項３の形状の箱型土嚢２つ以上と、
前記箱型土嚢が上下に積重ねられたときに、互いに隣接する、上側の箱型土嚢の下側の縁における横棒間の隙間と、下側の箱型土嚢の上側の縁における横棒間の隙間とをまとめて貫くピンと、
を有する箱型土嚢セット。
【請求項６】
前記ピンは、その上端で略Ｕ字型に折り曲げられている、
請求項５記載の箱型土嚢セット。
【請求項７】
上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、平面視したときの形状と大きさが同一の複数の箱型土嚢を複数段積み重ねて構造物を構築する方法であって、
少なくとも最下段の箱型土嚢に、すべての前記側壁の左右の縁である特定縁における縦棒が、それが取付けられている横棒の両側に取付けられているものを用いる、
構造物を構築する方法。
【請求項８】
最下段の箱型土嚢以外の箱型土嚢に、いずれの側壁にも特定縁のないものを用いる、
請求項７記載の構造物を構築する方法。
【請求項９】
上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、平面視したときの形状と大きさが同一の複数の箱型土嚢を複数段積み重ねて構造物を構築する方法であって、
少なくとも下から２段の箱型土嚢に、すべての前記側壁の上下の縁である特定縁における横棒が、それが取付けられている縦棒の両側に取付けられているものを用いる、
構造物を構築する方法。
【請求項１０】
下から２段の箱型土嚢のうちの、互いに隣接する、上側の箱型土嚢の下側の縁における横棒間の隙間と、下側の箱型土嚢の上側の縁における横棒間の隙間とをまとめてピンで貫く過程を含む、
請求項９記載の構造物を構築する方法。
【請求項１１】
下から２段の箱型土嚢のうちの、すべての互いに隣接する、上側の箱型土嚢の下側の縁における横棒間の隙間と、下側の箱型土嚢の上側の縁における横棒間の隙間とをまとめてピンで貫く過程を含む、
請求項１０記載の構造物を構築する方法。
【請求項１２】
上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、箱型土嚢を撤去する方法であって、
前記箱型土嚢として、すべての前記側壁の上下の縁である特定縁における横棒が、それが取付けられている縦棒の両側に取付けられているものを用いるとともに、
前記側壁に囲まれた空間に内容物が入れられた前記箱型土嚢を撤去する際に、その上側のすべての前記特定縁を複数の吊り下げ具で吊るして箱型土嚢を撤去する、
方法。
【発明の詳細な説明】
【技術分野】
【０００１】
本発明は、箱型土嚢に関する。
【背景技術】
【０００２】
簡易的な構造物を構築するのに箱型土嚢が用いられることがある。例えば、戦地において即時に架設の建築物や、防御壁を作らなければならない場合などに、箱型土嚢が用いられている。
【０００３】
箱型土嚢は通常、３枚以上の側壁を備えている。そしてその側壁で囲まれた空間に内容物を充填して、簡易的な壁として機能させられるようになっている。内容物は一般に、現地調達可能なものであり、例えば、土砂、砕石、岩、礫、コンクリート、或いはこれらの混合物、又はこれらを袋に詰めたものである。それにより、箱型土嚢は、小銃弾・ロケット弾等の直射火力  又は砲弾等の曲射火力に対して防護することができ、仮設ではあるが十分な防護壁として機能するものとなる。
また箱型土嚢は、高さが必要な場合には積み重ねて用いられることもある。
【０００４】
箱型土嚢の中に、金網を用いてその側壁を構成したものがある。金網は一般に、上下に走る複数の縦棒と、左右に走る複数の横棒とを含んで構成されており、矩形である。隣接する側壁同士は多くの場合、互いに回転可能にヒンジ状に接続されている。
【発明の概要】
【発明が解決しようとする課題】
【０００５】
しかしながら、上述の如き箱型土嚢にも改良すべき点がある。
それは、箱型土嚢を積み重ねたときに、最も荷重のかかる最下段の箱型土嚢に変形が生じるおそれがあるという点である。また、箱型土嚢を積み重ねた場合に、上段の箱型土嚢が安定しないことも有りうるという。
これらの箱型土嚢を積重ねた場合の不具合は、その一方でも解消されれば十分に意味がある。
【０００６】
本願発明は、箱型土嚢を積み重ねた場合に生じうる不具合を解消する技術を提供することをその課題とする。
【課題を解決するための手段】
【０００７】
上述の課題を解決するため、本願発明者は以下の発明を提案する。
本願発明は、上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、前記側壁に囲まれた空間に内容物を入れて用いられる箱型土嚢である。そしてこの箱型土嚢は、前記側壁のうちの少なくとも一つの側壁の４つの縁のうちの少なくとも一つの縁である特定縁における縦棒又は横棒が、それが取付けられている横棒又は縦棒の両側に取付けられている。
上述したように、箱型土嚢は、積み重ねた場合に、最下段の箱型土嚢に変形が生じるおそれがあり、或いは、上段の箱型土嚢が安定しないことがありうる。
ここで、本願では、前記側壁のうちの少なくとも一つの側壁の４つの縁のうちの少なくとも一つの縁である特定縁における縦棒又は横棒が、それが取付けられている横棒又は縦棒の両側に取付けられることとしている。
仮に、特定縁が側壁の左右の縁である場合には、その側壁は縦方向の荷重に対して強くなる。また、特定縁を作るには、例えば、一般的な金網の左右の縁に縦棒を一本足すだけで良い。したがって、本願の箱型土嚢の製造コストは一般的な箱型土嚢全体の製造コストに比較してそれほど高くはならないが、その強度は一般的な箱型土嚢に比較してかなり強くなる。
また、特定縁が側壁の上下の縁である場合には、その側壁は、下段の箱型土嚢に対して滑りにくくすることができる。従来の上段の箱型土嚢が下段の箱型土嚢に対して安定しない理由は、上段の箱型土嚢のある側壁の下側の縁と、下段の箱型土嚢のその直下にある側壁の上側の縁とが、双方の縁が横棒（通常は、縦棒も含めて、断面円形の金属棒である。）の長さ方向のある線分で線接触（或いは、双方の縁の長手方向の向きが完全に一致していない場合には、点接触）するのみであるからである。したがって、上段の箱型土嚢のある側壁の下の縁は下段のその直下にある側壁の上の縁に対して滑りやすい。これに対し、特定縁が側壁の上下の縁である場合には、上段の箱型土嚢のある側壁の下側の縁と、下段の箱型土嚢のその直下にある側壁の上側の縁との接触を、二本の線による線接触（これは面接触に程近い。）に変えられる。これにより、箱型土嚢を積み重ねた場合に、上段の箱型土嚢が安定しないということを防ぎうる。そして、側壁にこのような改良を加えるために必要なコストも、それほど大きくない。
【０００８】
特定縁は、上述のように、側壁のうちの少なくとも一つの側壁の４つの縁のうちの少なくとも一つの縁である。もちろん、特定縁は、すべての側壁に含まれてもよい。例えば、特定縁は、すべての側壁の少なくとも一つの縁であっても良い。
また特定縁は、ある側壁に２つ以上含まれていても良い。
【０００９】
例えば、前記特定縁は、前記側壁のうちの左右の縁であっても良い。この場合、箱型土嚢を積み重ねた場合に、最下段の箱型土嚢に変形が生じるおそれがより小さくなる。すべての側壁の左右の縁が特定縁である場合にこの効果はもっとも大きくなる。
【００１０】
箱型土嚢を積み重ねた場合に、最下段の箱型土嚢に変形が生じるおそれを小さくするには、以下の方法を採用してもよい。その方法は、上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、平面視したときの形状と大きさが同一の複数の箱型土嚢を複数段積み重ねて構造物を構築する方法である。この方法では、少なくとも最下段の箱型土嚢に、すべての前記側壁の左右の縁である特定縁における縦棒が、それが取付けられている横棒の両側に取付けられているものを用いる。
このとき、最下段の箱型土嚢以外の箱型土嚢に、いずれの側壁にも特定縁のないものを用いるようにしてもよい。特定縁を多くすればするほど、それ程大きくはないにせよ、材料、加工についてのコストが上昇するが、最下段の箱型土嚢以外の上段の土嚢に特定縁のないものを用いることにより、そのようなコスト上昇を低減できる。
【００１１】
例えば、前記特定縁は、前記側壁の上下の縁であっても良い。この場合、箱型土嚢を積み重ねた場合に、上段の箱型土嚢をより安定させ易くなる。すべての側壁の上下の縁が特定縁である場合にこの効果はもっとも大きくなる。
本願発明者は、また、平面視したときの形状と大きさが同一の、すべての側壁の上下の縁が特定縁である箱型土嚢２つ以上と、前記箱型土嚢が上下に積重ねられたときに、互いに隣接する、上側の箱型土嚢の下側の縁における横棒間の隙間と、下側の箱型土嚢の上側の縁における横棒間の隙間とをまとめて貫くピンと、を有する箱型土嚢セットをも提案する。この箱型土嚢セットであれば、ピンにより互いに隣接する、上側の箱型土嚢の下側の縁における横棒と、下側の箱型土嚢の上側の縁における横棒とをピンにより固定できるので、箱型土嚢を積み重ねた場合に、上段の箱型土嚢がより安定する。ピンは、複数であっても良い。例えば、箱型土嚢の側壁の数だけピンを準備しておけば、互いに隣接する、上側の箱型土嚢の下側の縁における横棒間と、下側の箱型土嚢の上側の縁における横棒間とをピンにより固定する、ということを、上側の箱型土嚢の下側のすべての縁について行うことができるようになるから、上段の箱型土嚢は益々安定する。また、互いに隣接する、上側の箱型土嚢の下側の縁における横棒と、下側の箱型土嚢の上側の縁における横棒とを複数のピンにより固定できるだけピンを準備しても良い。もちろん、互いに隣接する、上側の箱型土嚢の下側の縁における横棒と、下側の箱型土嚢の上側の縁における横棒とを複数のピンにより固定する、ということを、上側の箱型土嚢の下側のすべての縁について行っても良い。
前記ピンは、その上端で略Ｕ字型に折り曲げられていても良い。ピンを下が開いたＵ字状の状態で用いることとし、その一端を上側の箱型土嚢の下側の縁における横棒間の隙間と、下側の箱型土嚢の上側の縁における横棒間の隙間とをまとめて貫くのに用い、その他端を、箱型土嚢の表側に露出させておけば、ピンを持ち上げる力が働かない限り、ピンによる上段と下段の箱型土嚢の固定が解除されることはないし、その他端を持ち上げるだけで、上段と下段の箱型土嚢の固定を解除できるから、箱型土嚢を撤収するときに便利である。ピンの一端と他端の長さは異なっていても良い。例えば、ピンの一端が他端よりも長くても良い。
【００１２】
箱型土嚢を積み重ねた場合に、上段の箱型土嚢を安定させるには、以下の方法を採用してもよい。その方法は、上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、平面視したときの形状と大きさが同一の複数の箱型土嚢を複数段積み重ねて構造物を構築する方法である。そして、この方法では、少なくとも下から２段の箱型土嚢に、すべての前記側壁の上下の縁である特定縁における横棒が、それが取付けられている縦棒の両側に取付けられているものを用いる。
この方法は、下から２段の箱型土嚢のうちの、互いに隣接する、上側の箱型土嚢の下側の縁における横棒間の隙間と、下側の箱型土嚢の上側の縁における横棒間の隙間とをまとめてピンで貫く過程を含んでいても良い。ピンの数、形状については、箱型土嚢セットについて述べたのと同様の思想を採用しうる。例えば、上記方法は、下から２段の箱型土嚢のうちの、すべての互いに隣接する、上側の箱型土嚢の下側の縁における横棒間の隙間と、下側の箱型土嚢の上側の縁における横棒間の隙間とをまとめてピンで貫く過程を含んでいても良い。
【００１３】
また、本願発明者は、上下に走る複数の縦棒と、左右に走る複数の横棒とを含んで構成されている、矩形の金網である少なくとも３つの側壁と、隣接する前記側壁の縁部同士を互いに回動できるようにして接続する接続手段と、を備えている、その上下が開口された、側壁に囲まれた空間に内容物を入れて用いられる、箱型土嚢を撤去する方法をも提案する。そして、この方法では、前記箱型土嚢として、すべての前記側壁の上下の縁である特定縁における横棒が、それが取付けられている縦棒の両側に取付けられているものを用いるとともに、前記側壁に囲まれた空間に内容物が入れられた前記箱型土嚢を撤去する際に、その上側のすべての前記特定縁を複数の吊り下げ具で吊るして箱型土嚢を撤去する。
箱型土嚢を撤去する際に、箱型土嚢を所定の吊り下げ具（例えば、クレーンのワイヤの先に取付けられた撤収器具に多数取付けられた吊り下げ具）で吊り上げるという方法が用いられている。箱型土嚢をこのように撤去すると、箱型土嚢に底がないことから、箱型土嚢に入れられていた内容物がそこに残り、箱型土嚢だけを素早く撤去できる。しかし従来このような方法で箱型土嚢を撤去すると、箱型土嚢の特に上側の縁に存在する横棒に破損が生じることがあった。吊り下げのときに吊り下げ具に係止される上側の縁が特定縁になっていれば、箱型土嚢の上側の縁の横棒の破損を防止できるため、速い撤去が可能な吊り下げ具による吊り下げの方法を採っても、箱型土嚢の繰り返しの利用が妨げられる可能性が小さい。
【００１４】
本願発明における箱型土嚢は、その特定縁が、ある側壁のうちの上下左右の４つの縁であっても良い。この場合、特定縁は、すべての側壁のうちの４つの縁であっても良い。
【図面の簡単な説明】
【００１５】
【図１】本願の第１実施形態における箱型土嚢の構成を示す斜視図。
【図２】図１に示した箱型土嚢に含まれる側壁の構成を示す（Ａ）側面図、と（Ｂ）平面図。
【図３】図１に示した箱型土嚢に含まれる側壁の左右の特定縁の構成を示す側面図。
【図４】図１に示した箱型土嚢に含まれる側壁の上下の特定縁の構成を示す平面図。
【図５】本願の第２実施形態における箱型土嚢の構成を示す平面図。
【図６】本願の箱型土嚢を用いて構造物を構築する方法の一例を示す側面図。
【図７】本願の箱型土嚢を用いて構造物を構築する方法の他の例で用いられる箱型土嚢の側壁の上端部分を拡大して示す斜視図。
【図８】図７に示した箱型土嚢とその上段の箱型土嚢とをピンを用いて固定した状態を示す側面図。
【図９】本願の箱型土嚢を用いて構造物を構築する方法の他の例を用いて構築された構造物を撤収するのに用いられる撤収器具を示す斜視図。
【発明を実施するための形態】
【００１６】
以下、本発明の好ましい第１から第２実施形態を説明する。
各実施形態の説明において、共通する対象には共通の符号を付すものとし、重複する説明は場合により省略するものとする。
【００１７】
≪第1実施形態≫
第１実施形態の箱型土嚢１００を図１に示す。なお、図１では後述する縦棒と横棒の表示を一部省略している。
箱型土嚢１００は、３つ以上の側壁１１０を有している。側壁１１０は隣り合う縁部同士を接続して、多角形を作れるような形状、大きさとなっている。例えば、側壁１１０が３枚なら、箱型土嚢１００は平面視で、三角形、４枚なら四角形、６枚なら六角形となる。箱型土嚢１００の上方と下方はともに解放されている。箱型土嚢１００の使用時には、側壁１１０に囲まれた空間に、内容物が詰められる。内容物は一般に、現地調達可能なものであり、例えば、土、砂、砕石、琉球石灰、瓦礫、コンクリート、或いはこれらの混合物、又はこれらを袋に詰めたものである。
また、箱型土嚢１００は、後述するように、その内部の空間に内容物が充填されるが、それに先立ち、箱型土嚢１００の内部の空間に、内部の空間の内側を略覆う大きさ形状とされた袋が配置され、その後内容物が袋の中に充填されることがある。そのように袋が存在する場合においても、壁用土嚢１００自体は上下が開放されているので、「上下が開放されている」という本願における要件は充足されるものとする。
これには限られないが、この実施形態の箱型土嚢１００は、４つの側壁１１０を有している。したがって箱型土嚢１００は平面視で四角形となる。
各側壁１１０は矩形である。各側壁１１０は、隣接する側壁１１０とその左右の縁で接続されている。この接続は、各側壁１１０が隣り合う側壁の左右の縁に対して回転を行えるようなものとされる。これは、箱型土嚢１００をパンタグラフのように変形させられるようにするためである。それにより、箱型土嚢１００の収納性、可搬性が高まる。上述のような回転を可能とするために、隣接する側壁１１０は、コイル１２０を用いて接続されている。コイル１２０による側壁１１０同士の接続方法については、後述する。
【００１８】
側壁１１０の構成について説明する。
各側壁１１０は、上述したように矩形である。各側壁１１０の横幅は、同じでない場合もあるが、すべての側壁１１０の高さは一致している。もっともこの実施形態における箱型土嚢１００のすべての側壁の横幅は同一である。したがって、箱型土嚢１００の使用時における平面視した場合の形状は、少なくとも菱型であり、また正方形にすることができる。なお、この実施形態では、必ずしもこの限りではないが、すべての側壁１１０の横幅と高さは同じとされている。つまり、この実施形態の側壁１１０は正方形である。なお、この限りではないが、側壁１１０の縦、横の長さはともに、１ｍ〜数ｍくらいであることが多い。
【００１９】
側壁１１０は金網でできている。側壁１１０は縦方向に伸びる縦棒１１１と、横方向に伸びる横棒１１２とを備えている。同じ側壁１１０に属する多数の縦棒１１１はすべて同じ長さで互いに平行であり、多数の横棒１１２も同様である。
縦棒１１１と横棒１１２はともに金属製の棒であり、これには限られないが、ステンレス製の丸棒である。縦棒１１１と横棒１１２は、これには限られないが、縦棒１１１の外側に横棒１１２が位置するようにして、その交点で固定されている。縦棒１１１と横棒１１２のかかる固定は、例えば、溶接により行われている。後述する特定縁を除いた部分の縦棒１１１と横棒１１２の関係を図２（Ａ）の側面図と、同（Ｂ）の平面図とに示す。
交差する縦棒１１１と横棒１１２は、隣接する縦棒１１１に挟まれ、且つ隣接する横棒１１２に挟まれた、矩形の目を作る。この目の大きさは必ずしも同じである必要はないが、この実施形態ではすべて同じとなっている。
【００２０】
縦棒１１１と横棒１１２の関係は上述のようなものであったが、側壁１１０の縁部において例外がある。
例えば、側壁１１０の左右の縁においては、それが取付けられている横棒１１２の両側に縦棒１１１が取付けられている場合がある。その状態を、図３の側面図に示す。
また、側壁１１０上下の縁においては、それが取付けられている縦棒１１１の両側に横棒１１２が取付けられている場合がある。その状態を、図４の平面図に示す。
上述のように、側壁１１０の縁においては、側壁１１０の左右の縁における縦棒１１１又は側壁１１０の上下の縁における横棒１１２が、それが取付けられている横棒１１２又は縦棒１１１の両側に取付けられている場合がある。このように、側壁１１０の縁において、縦棒１１１の両側に横棒１１２が、又は横棒１１２の両側に縦棒１１１が設けられている縁が、本願でいう特定縁である。
【００２１】
特定縁は、側壁１１０のうちの少なくとも一つの側壁１１１の４つの縁のうちの少なくとも一つの縁である。つまり、この実施形態の箱型土嚢１００は、４つの側壁１１０を有しているが、特定縁を有する側壁１１０は少なくともその中の一つはある。例えば、４つの側壁１００のうちの対向する２つ、或いは４つの側壁１１０のすべてが特定縁を有しているものとすることができる。また、特定縁を有する側壁１１０は、その４つの縁の少なくとも一つが特定縁であれば良い。例えば、特定縁を有する側壁１１０は、対向する２つの縁、例えばその上下の縁、或いは左右の縁が特定縁であっても良いし、４つの縁のすべてが特定縁であっても良い。
【００２２】
各側壁１１０は、上述のように、その左右縁を、隣接する側壁１１０と、各側壁１１０が隣り合う側壁の左右の縁に対して回転を行えるようにして接続されている。その接続は、公知、或いは周知の方法で行えば良く、この実施形態では、例えば、コイル１２０を用いて行われている。
コイル１２０は、隣接する側壁１１０の目を縫うように通されており、それにより互いに隣接する側壁１００の互いに隣接する縦方向の縁を固定している。コイル１２０は、例えば、２つの側壁１１０の隣接する縁に対して、上方から、回転させながら隣接する側壁１１０の目を縫うようにして下方へ送ることにより、上述の如く２つの側壁１１０の隣接する縁を固定する状態にされる。コイル１２０は、それにより固定される側壁１１０の一番端に縦方向に並ぶ目のすべてを貫いている必要は必ずしもない。
なお、コイルに変え、隣接する側壁１１０を公知のヒンジにより接続することにより、隣接する側壁１１０が互いに隣接する側壁１１０に対して回転できるようにすることも可能である。
【００２３】
≪第２実施形態≫
第２実施形態の箱型土嚢２００の平面図を図５に示す。
この実施形態の箱型土嚢２００は、基本的に第１実施形態の箱型土嚢１００と同様に構成されている。
異なるのは、第１実施形態の箱型土嚢１００が４枚の側壁１１０を有していたのに対し、第２実施形態の箱型土嚢２００は６枚の側壁１１０を有している、という点である。
箱型土嚢２００の側壁１１０の左右の縁は第１実施形態の箱型土嚢１００の側壁１１０と同様に、互いに隣接する側壁１１０に対して回転できるように、第１実施形態の場合と同様に、例えばコイルにより接続されている。
また、第１実施形態の側壁１１０は、その横幅がすべて同一であったが、第２実施形態の側壁１１０は、その高さは第１実施形態の側壁１１０の場合と同様にすべて同一であるものの、側壁１１０Ａの横幅が、側壁１１０Ｂの横幅の２倍となっている。
その結果、第２実施形態の箱型土嚢２００は、図５に示したように、平面視６角形とすることもできるし（図５（Ａ））、平面視、正方形とすることもできるし（同（Ｂ））、同（Ｃ）に示したようにして、折り畳むことも可能である。
【００２４】
第２実施形態の箱型土嚢１００も第１実施形態の場合と同様に、第１実施形態の場合と同様の特定縁を備える。
特定縁は、第１実施形態の場合と同様に、側壁１１０の少なくとも一つの、４つの縁のうちの少なくとも一つの縁である。
【００２５】
≪箱型土嚢を用いて構造物を構築する方法の１≫
箱型土嚢１００、２００を使用して構造物を構築する方法の一例について説明する。
箱型土嚢２００を用いて構造物を構築する方法は箱型土嚢１００を用いて構造物を構築する方法に準ずるので、箱型土嚢１００を用いて構造物を構築する方法のみを以下では説明するものとする。
【００２６】
この方法では、まず、適当な形、例えば平面視正方形に展開して、箱型土嚢１００を設置する（図６（Ａ））。
次いでその箱型土嚢１００の中に内容物を充填する（同（Ｂ））。
次いで、内容物が充填された箱型土嚢１００の上に２段目の箱型土嚢１００を積む（同（Ｃ））。２段目の箱型土嚢１００は、１段目の箱型土嚢１００と平面視で同じ形状、同じ大きさとなるようにする。２段目の箱型土嚢１００としてはそれが可能なものが選ばれる。
次いで、２段目の箱型土嚢１００の中に内容物を充填する（同（Ｄ））。なお、以下も同様であるが、内容物が充填された箱型土嚢１００は、図６では網掛けをして内容物の充填されていない箱型土嚢１００と区別する。
以下、これを必要に応じて繰り返す。例えば、内容物が充填された２段目の箱型土嚢１００の上に３段目の箱型土嚢１００を積む。３段目の箱型土嚢１００は、２段目の箱型土嚢１００と平面視で同じ形状、同じ大きさとなるようにする。３段目の箱型土嚢１００としてはそれが可能なものが選ばれる。そして、３段目の箱型土嚢１００の中に内容物を充填する（同（Ｅ））。
このようにして、この実施形態では、箱型土嚢１００を３段目まで積み上げた構造物を得る。
【００２７】
以上の構造物を構築する方法で１段目に用いられる箱型土嚢１００は、それに含まれる少なくとも一つの側壁１１０の少なくとも一つの縦方向の縁の一つが特定縁となっているものである。この実施形態では、１段目の箱型土嚢１００として、すべての側壁１１０の左右の縁の双方が特定縁となっている箱型土嚢１００を用いるものとする。１段目の箱型土嚢１００は、すべての側壁１１０の左右の縁の双方が特定縁となっていれば、それ以外の縁が特定縁となっていても構わない。
箱型土嚢１００を複数段積重ねて構造物を作ると、その１段目の箱型土嚢１００には縦方向に大きな圧縮力がかかる。１段目の箱型土嚢１００は、そのすべての側壁１１０の左右の縁の双方が特定縁となっているから、１段目の箱型土嚢１００は、その側壁が歪んだり破損したりする可能性が小さい。
なお、２段目より上の箱型土嚢１００にも、１段目と同様の箱型土嚢を用いることもできるが、２段目より上の箱型土嚢１００はコスト低減の観点から、そのすべての縁が特定縁でないものを用いることも可能である。この実施形態ではそうすることとしている。
【００２８】
なお、箱型土嚢を用いて構造物を構築する方法の１では、箱型土嚢１００の設置とその箱型土嚢１００への内容物の充填を行った後、次の箱型土嚢１００の積上げと積上げた箱型土嚢１００への内容物の充填を繰り返したが、最初に複数段の箱型土嚢１００を積上げた後、一番上段の箱型土嚢１００の上側の開口から、その下の箱型土嚢１００の内部にまでまとめて内容物を充填しても構わない。
【００２９】
≪箱型土嚢を用いて構造物を構築する方法の２≫
箱型土嚢１００、２００を使用して構造物を構築する方法の他の例について説明する。
箱型土嚢２００を用いて構造物を構築する方法は箱型土嚢１００を用いて構造物を構築する方法に準ずるので、箱型土嚢１００を用いて構造物を構築する方法のみを以下では説明するものとする。
【００３０】
この方法も、基本的には箱型土嚢を用いて構造物を構築する方法の１と変わらない。図６を用いて説明したのと同じ手順で、箱型土嚢１００の設置とその箱型土嚢１００への内容物の充填を行った後、次の箱型土嚢１００の積上げと積上げた箱型土嚢１００への内容物の充填を繰り返して、構造物を得る。
【００３１】
以上の構造物を構築する方法で１段目に用いられる箱型土嚢１００は、それに含まれる少なくとも一つの側壁１１０の少なくとも一つの横方向の縁の一つが特定縁となっているものである。この実施形態では、１段目と２段目の箱型土嚢１００として、すべての側壁１１０の上下の縁の双方が特定縁となっている箱型土嚢１００を用いるものとする。１段目と２段目の箱型土嚢１００は、すべての側壁１１０の上下の縁の双方が特定縁となっていれば、それ以外の縁が特定縁となっていても構わない。
１段目の箱型土嚢１００のある側壁１１０上部の拡大図を図７に示す。側壁１１０の上端は、縦棒１１１の両側にある横棒１１２の上面と、縦棒１１１の上面により、ある意味面状になっている。この面状になっている１段目の箱型土嚢１００の側壁１１０の上に、図７の天地を逆転した状態の２段目の箱型土嚢１００の側壁１１０の下端が当接する。そうなることで、１段目の箱型土嚢１００の上に乗った２段目の箱型土嚢１００は安定する。
なお、３段目より上の箱型土嚢１００に、すべての側壁１１０の上下の縁の双方が特定縁となっている箱型土嚢１００を用いることも可能であるが、そうでない箱型土嚢１００を用いてもよい。この実施形態では、３段目より上の箱型土嚢１００に、すべての側壁１１０の上下の縁の双方が特定縁となっている箱型土嚢１００を用いることとしている。
【００３２】
なお、図７に示したように、１段目の箱型土嚢１００の側壁１１０の上端では、横棒１１２間に隙間１１３がある。同様に、その上に積まれる２段目の箱型土嚢１００の側壁１１０の下端では、横棒１１２間に隙間１１３がある。その両方の隙間を貫くようにして、図８に示したようなピン１３０を差し込むことができる。ピン１３０は、その上端がＵ字型に曲がっており、その両端の長さが異なるものとなっている。ピン１３０の長い側を、１段目と２段目の箱型土嚢１００の隙間１１３を貫くようにするとともに、ピン１３０の短い側を、箱型土嚢１００の外側に位置させる。そうすることで、ピン１３０は自然には抜けなくなるが、ピン１３０の短い側を持って上側に引き抜くことで、容易に抜けるようになる。
ピン１３０は、縦棒１１１と縦棒１１１の間に配置される。ピン１３０は、隣接する縦棒１１１の間の隙間１１３のすべてに配置されても構わないし、そのような隙間１１３の幾つかに配置されても構わない。また、ピン１３０はすべての側壁１１０に用いられても構わないし、そうでなくても構わない。
ピン１３０も併せて箱型土嚢１００を準備しておけば、本願でいう箱型土嚢セットとなる。
【００３３】
次に、上述のように構築された箱型土嚢１００による構造物の撤収の方法についても説明する。
構造物の撤収には、図９に示したような撤収器具３００を用いる。
撤収器具３００は、矩形、この実施形態では正方形のフレーム３１０を有している。フレーム３１０の下面には、ワイヤ等の線状体３２０にて多数の吊り下げ具３３０が吊られている。吊り下げ具３３０はこの実施形態ではフックであるが、この限りではない。
撤収器具３００を用いて構造物を撤収するには、まず、撤収器具３００をクレーンの線状体の下端に固定して、吊り上げる。そして、撤収器具３００を最上段の箱型土嚢１００の上に位置させ、撤収器具３００の下の吊り下げ具３３０を、箱型土嚢１００の各側壁１１０の一番上の段の目に係止する。そして、クレーンでそのまま撤収器具３００ごと最上段の箱型土嚢１００を吊り上げる。そうすると、最上段の箱型土嚢１００は、それに充填されていた内容物を残して吊り上げられる。
次に、上から２段目の箱型土嚢１００に対して同じことをし、それを最下段の箱型土嚢１００まで繰り返す。
そうすることで箱型土嚢１００は素早く撤去できる。
なお、この吊り下げによる構造物の撤去を行うのであれば、吊り下げられる箱型土嚢１００のすべてについて、吊り下げによる負荷がかかる箱型土嚢１００の各側壁１００の一番上の横棒１１２が縦棒１１１の両側に存在するようにしておく（つまり、箱型土嚢１００の各側壁１１０の一番上の縁を特定縁としておく）のが好ましい。そうすることにより、箱型土嚢１００の各側壁１１０の破損を防ぎやすくなる。
【符号の説明】
【００３４】
１００  箱型土嚢
１１０  側壁
１１１  縦棒
１１２  横棒
１３０  ピン
２００  箱型土嚢
３００  撤収器具
【図１】
2015036480.tif 000003
【図２】
2015036480.tif 000004
【図３】
2015036480.tif 000005
【図４】
2015036480.tif 000006
【図５】
2015036480.tif 000007
【図６】
2015036480.tif 000008
【図７】
2015036480.tif 000009
【図８】
2015036480.tif 000010
【図９】
2015036480.tif 000011